(57)【要約】【課題】津波や高潮や洪水等の浸水時に屋外タンクの滑動抵抗力を増やすことで屋外タンクの滑動を防止するようにした屋外タンク滑動防止方法および構造を提供する。【解決手段】この屋外タンク滑動防止方法は、屋外タンク１０の浸水時における波力による滑動を防止する方法であって、屋外タンクを包囲するように壁部１５を設置し、壁部と屋外タンクの底板１１とを結合することで壁部と屋外タンクの側板との間に空間２０を形成し、壁部に透水部１７を複数設け、浸水時に壁部の透水部を通しておよび／または壁部の上端を越えて流れ込んだ水が空間内に溜まることで見かけ上のタンク重量を増加させることにより屋外タンクに作用する波力に対する滑動抵抗力を増加させる。【選択図】図１
2019001469.tif 000002
【特許請求の範囲】
【請求項１】
屋外タンクの浸水時における波力による滑動を防止する方法であって、
前記屋外タンクを包囲するように壁部を設置し、前記壁部と前記屋外タンクの底板とを結合することで前記壁部と前記屋外タンクの側板との間に空間を形成し、
前記壁部に透水部を複数設け、
浸水時に前記壁部の前記透水部を通しておよび／または前記壁部の上端を越えて流れ込んだ水が前記空間内に溜まることで見かけ上のタンク重量を増加させることにより前記屋外タンクに作用する波力に対する滑動抵抗力を増加させる屋外タンク滑動防止方法。
【請求項２】
前記空間内に溜まった水の漏出を防ぐために前記透水部に逆流防止機構を設ける請求項１に記載の屋外タンク滑動防止方法。
【請求項３】
前記壁部を補強するための補強部を設置する請求項１または２に記載の屋外タンク滑動防止方法。
【請求項４】
屋外タンクの浸水時における波力による滑動を防止する構造であって、
前記屋外タンクを包囲するように設置される壁部と、前記壁部と前記屋外タンクの底板とを結合することで前記壁部と前記屋外タンクの側板との間に形成される空間と、前記壁部に複数設けられた透水部と、を備え、
浸水時に前記壁部の前記透水部を通しておよび／または前記壁部の上端を越えて流れ込んだ水が前記空間内に溜まることで見かけ上のタンク重量を増加させることにより前記屋外タンクに作用する波力に対する滑動抵抗力を増加させる屋外タンク滑動防止構造。
【発明の詳細な説明】
【技術分野】
【０００１】
本発明は、浸水時における屋外タンクの滑動を防止するための屋外タンク滑動防止方法および構造に関する。
【背景技術】
【０００２】
発火等のおそれがある危険物の液体を貯蔵する屋外タンクの基礎構造は、図９のように、（ａ）RCリング基礎、（ｂ）杭基礎、（ｃ）スラブ基礎の大きく三つに分類される。図９（ａ）のRCリング基礎はタンクの外傍に配置されたRCリングと、タンク側板直下の砕石リングで補強された盛土とから構成された基礎形式である。図９（ｂ）の杭基礎はタンク荷重をRCスラブと杭を介して地盤に伝達する基礎形式である。図９（ｃ）のスラブ基礎は杭基礎から杭を取り除いた基礎構造である。
【０００３】
屋外タンクは薄肉の鋼板により構成され、非常に可撓性に富んだ構造体である。内容液がタンク底板に作用する際には、底板と基礎上面とをなじませて密着させるために、基礎はある程度の変形に順応する構造が望まれる。そのため、タンクと基礎が接する部分は、非常に剛なコンクリート床版とせず、タンク底板の変形に追随できる緩衝層としての役目を持つ、締め固められた砕石層あるいは砂層が設けられている。いずれの基礎形式においても、タンク底板の防食措置として基礎上面には厚さ5〜10cm程度のアスファルトサンド（アスファルトを主に砂や石粉を混合したもの）が敷設されている。
【０００４】
平成21年に発行された消防庁の報告書（非特許文献１）によると、屋外タンクについて、高潮による浸水や地震による津波で生じる被害形態として、浮き上がり、滑動、転倒、内外水圧差による側板座屈、傾斜による底板抜け出し、傾斜による側板座屈が挙げられているが、この中で最も滑動が発生しやすく、その滑動量が大きいとタンクと配管等の接続部が切断され、危険物の液体が流出するおそれがあるとされている。その理由として(1)滑動が最も小さな波力で発生する可能性があること、(2)いったん滑動が生じると、もはや転倒したり内外水圧差による側板座屈が生じる可能性は小さいことを挙げている。換言すると、高潮や津波等による波力に対して屋外タンクの滑動を抑制することができれば、危険物流出のリスクを低減することができると考えられている。
【０００５】
タンクの滑動防止措置として、タンクの有する滑動抵抗力を増加させるため、タンク本体が基礎にアンカー留めされているものがある。また、特許文献１は、屋外タンクの周囲に設置されて、水位上昇時における波の衝撃力を緩和させる防護構造体と、この防護構造体に屋外タンクに向けて設置され、水位上昇により浮き上がる屋外タンクに当接してこの浮き上がりを防止するストッパ体と、を有する屋外施設の防護設備を開示する。
【０００６】
気仙沼市に津波対策を施した屋外貯蔵タンクが建設されている（非特許文献２）。その概略図を図１０に示す。この基礎は一般的なタンク基礎形式ではなく、特殊な形式である。基礎構造は、基礎と一体となったPCコンクリート壁を設置し、津波による波力からタンクを護る構造となっている。また、基礎はRCコンクリートで構成され、端部には滑動・転倒防止のため突起が設けられている。つまり、タンク本体は津波波力を直接受けず倒壊させない構造となっている。
【先行技術文献】
【特許文献】
【０００７】
【特許文献１】特開2012-229585号公報
【非特許文献】
【０００８】
【非特許文献１】総務省消防庁「危険物施設の津波・浸水対策に関する調査検討報告書」平成21年3月（http://www.fdma.go.jp/neuter/topics/houdou/h21/2105/210526-1houdou/02_stunami_houkokusyo.pdf）
【非特許文献２】気仙沼市産業部産業再生戦略課：朝日町地区漁業用燃油施設に係る基本計画について、東日本大震災調査特別委員会資料(2)、平成27年6月12日http://www.kesennuma.miyagi.jp/sec/s019/010/010/020/027/270612/2350270612iinkai_02.pdf
【非特許文献３】田中ら「屋外タンク貯蔵所関連施設の被害概要と対策」月刊基礎工、平成24年12月号
【発明の概要】
【発明が解決しようとする課題】
【０００９】
2011年東北地方太平洋沖地震に被害を受けたタンク群の被害概要(非特許文献３等)によれば、被害を受けた同規模の大きさのタンク4基のうち3基は津波波力の影響で約17〜18m水平方向に滑動した。滑動したタンクはいずれも点検中あるいは休止中であったため、当日は空液の状態であった。一方、滑動しなかったタンクは稼働中であり、約6割程度の内容液が貯蔵されており、津波波力を受けたものの滑動を免れた。
【００１０】
波力が作用した場合のタンクに作用する力は、図１１のようになり（非特許文献１参照）、タンク本体重量ＷTと内容液の重量ＷLが大きいほど、滑動抵抗力（μ（ＷT＋ＷL−ＦZ））も大きくなる。タンク本体重量ＷTは基本的に不変であるため、滑動抵抗力を増やすことでタンクの滑動を防ぐためには、内容液の重量ＷLを増やせばよいことになる。しかしながら、内容液の貯蔵状況は所有者のタンク運用により日々変わるため、常に一定量の内容液を貯蔵することは現実的な対策とは言いがたい。
【００１１】
上述したように、薄肉鋼板で構成されたタンクは可撓性に富む構造体であるところ、図１０の構造によれば、タンク底板を直接非常に剛なコンクリート床版基礎に載せた場合、タンク底板の変形に基礎が追随できないため、鋼板に局所的にしわが生じ、応力集中が生じる可能性がある。その結果、最悪の場合はタンク底板の亀裂や破断により内容液の漏洩が生じることが懸念される。
【００１２】
また、従来のタンク本体を基礎にアンカー留めする構造は、風荷重に対する滑動防止目的で、風荷重よりも格段に大きな波力に対する滑動防止として設置されたものではなく、このため、高潮や津波等の波力に対する滑動対策として不十分である。また、特許文献１の防護設備は、浸水時に屋外タンクに対する水平波力の低減と浮き上がりの防止を図るもので、タンク重量を調整し滑動抵抗力を増やしてタンクの滑動を防ぐものではない。
【００１３】
本発明は、上述のような従来技術の問題に鑑み、津波や高潮や洪水等の浸水時に屋外タンクの滑動抵抗力を増やすことで屋外タンクの滑動を防止するようにした屋外タンク滑動防止方法および構造を提供することを目的とする。
【課題を解決するための手段】
【００１４】
上記目的を達成するための屋外タンク滑動防止方法は、屋外タンクの浸水時における波力による滑動を防止する方法であって、前記屋外タンクを包囲するように壁部を設置し、前記壁部と前記屋外タンクの底板とを結合することで前記壁部と前記屋外タンクの側板との間に空間を形成し、前記壁部に透水部を複数設け、浸水時に前記壁部の前記透水部を通しておよび／または前記壁部の上端を越えて流れ込んだ水が前記空間内に溜まることで見かけ上のタンク重量を増加させることにより前記屋外タンクに作用する波力に対する滑動抵抗力を増加させるものである。
【００１５】
この屋外タンク滑動防止方法によれば、屋外タンクを包囲する壁部と屋外タンクの底板とを結合することで屋外タンクと壁部とを一体化し、壁部と屋外タンクの側板との間の空間内に、津波や高潮や洪水等の浸水時に壁部の透水部を通しておよび／または壁部の上端を越えて流れ込んだ水を溜めることで、見かけ上のタンク重量を増加させる。これにより、津波や高潮や洪水等の浸水時に屋外タンクに作用する波力に対する滑動抵抗力を増加することができるので、屋外タンクの滑動を防止することができる。
【００１６】
また、浸水時に壁部は屋外タンクに作用する浸水波力を緩衝するため、波力による屋外タンクの損傷を防ぐことができる。また、漂流物の衝突も回避できるので、漂流物による屋外タンクの損傷を防ぐことができる。
【００１７】
上記屋外タンク滑動防止方法において前記空間内に溜まった水の漏出を防ぐために前記透水部に逆流防止機構を設けることで、空間内に溜まった水の水位を保つことができる。たとえば、津波による浸水の場合、引き波で壁部の外側の水位が下がることがあるが、第2波以降の後続波に備えて、空間内の水位を保つことで、タンクの滑動抵抗力を維持することができる。
【００１８】
また、前記壁部を補強するための補強部を設置することが好ましい。また、前記空間の容積を増やすために前記壁部を前記屋外タンクの外側に傾斜させるようにしてもよい。また、前記壁部の位置に応じて基礎構造を構築することが好ましい。
【００１９】
上記目的を達成するための屋外タンク滑動防止構造は、屋外タンクの浸水時における波力による滑動を防止する構造であって、前記屋外タンクを包囲するように設置される壁部と、前記壁部と前記屋外タンクの底板とを結合することで前記壁部と前記屋外タンクの側板との間に形成される空間と、前記壁部に複数設けられた透水部と、を備え、浸水時に前記壁部の前記透水部を通しておよび／または前記壁部の上端を越えて流れ込んだ水が前記空間内に溜まることで見かけ上のタンク重量を増加させることにより前記屋外タンクに作用する波力に対する滑動抵抗力を増加させるものである。
【００２０】
この屋外タンク滑動防止構造によれば、屋外タンクを包囲する壁部と屋外タンクの底板とを結合することで屋外タンクと壁部とを一体化し、壁部と屋外タンクの側板との間の空間内に、津波や高潮や洪水等の浸水時に壁部の透水部を通しておよび／または壁部の上端を越えて流れ込んだ水を溜めることで、見かけ上のタンク重量を増加させる。これにより、津波や高潮や洪水等の浸水時に屋外タンクに作用する波力に対する滑動抵抗力を増加することができるので、屋外タンクの滑動を防止することができる。
【００２１】
また、浸水時に壁部は屋外タンクに作用する浸水波力を緩衝するため、波力による屋外タンクの損傷を防ぐことができる。また、漂流物の衝突も回避できるので、漂流物による屋外タンクの損傷を防ぐことができる。
【００２２】
上記屋外タンク滑動防止構造において前記空間内に溜まった水の漏出を防ぐために前記透水部に設けた逆流防止機構を備えることで、空間内に溜まった水の水位を保つことができる。たとえば、津波による浸水の場合、引き波で壁部の外側の水位が下がることがあるが、第2波以降の後続波に備えて、空間内の水位を保つことで、タンクの滑動抵抗力を維持することができる。
【００２３】
また、前記壁部を補強するための補強構造を備えることが好ましい。また、前記空間の容積を増やすために前記壁部が前記屋外タンクの外側に傾斜する傾斜構造を備えてもよい。前記壁部の位置に応じて構築された基礎構造を備えることが好ましい。
【発明の効果】
【００２４】
本発明によれば、津波や高潮や洪水等の浸水時に屋外タンクの滑動抵抗力を増やすことで屋外タンクの滑動を防止するようにした屋外タンク滑動防止方法および構造を提供することができる。
【図面の簡単な説明】
【００２５】
【図１】本実施形態による屋外タンク滑動防止構造を概略的に示す縦断面図である。
【図２】図１の壁部に設けられる透水部の例を示す部分正面図（ａ）（ｂ）である。
【図３】図１の壁部の補強構造の例を示す部分斜視図である。
【図４】図１の屋外タンクの浸水時の状態を概略的に示す図１と同様の縦断面図である。
【図５】図１の透水部に逆流防止機構を設けた構成例において図４の状態から壁部の外側の水位が低下した時の状態を概略的に示す図１と同様の縦断面図である。
【図６】図５の透水部に設けた逆流防止機構を示す部分縦断面図（ａ）（ｂ）である。
【図７】壁部を傾斜構造とした図１と同様の縦断面図である。
【図８】容量が1000キロリットル級の屋外タンクに設けた屋外タンク滑動防止構造の具体例を示す図１と同様の縦断面図である。
【図９】屋外タンクの基礎構造である（ａ）RCリング基礎、（ｂ）杭基礎、（ｃ）スラブ基礎を示す概略図である。
【図１０】津波対策を施した屋外貯蔵タンクの建設例（非特許文献２）を示す概略図である。
【図１１】波力が作用した場合のタンクに作用する力を概略的に示す図（非特許文献１）である。
【発明を実施するための形態】
【００２６】
以下、本発明を実施するための形態について図面を用いて説明する。図１は本実施形態による屋外タンク滑動防止構造を概略的に示す縦断面図である。図２は図１の壁部に設けられる透水部の例を示す部分正面図（ａ）（ｂ）である。図３は図１の壁部の補強構造の例を示す部分斜視図である。
【００２７】
図１に示すように、本実施形態における屋外タンク１０は、円形状の底板１１と、底板１１から鉛直方向に延びる円筒形状の側板１２と、側板１２の上端に設けられる天板１３と、を有するタンク本体１０ａを備える。屋外タンクは、タンク本体１０ａ内に所定の内容液Ｌを貯蔵するようになっている。
【００２８】
屋外タンク１０は、本実施形態による屋外タンク滑動防止構造を有する。この屋外タンク滑動防止構造は、屋外タンク１０を包囲するように設置される壁部１５と、壁部１５と屋外タンク１０の側板１２との間に形成される空間２０と、壁部１５に多数設けられた透水部１７と、を備える。
【００２９】
壁部１５は、鋼板から全体的に円筒形状に構成され、平面的にタンク本体１０ａと同心円状になっており、下端側に半径方向内側に突き出る板状の底部１６を有することで、縦断面形状としてはＬ形状になっている。壁部１５の底部１６は結合部１６ａで屋外タンク１０の底板１１と溶接等により結合されることで、底板１１と壁部１５とは一体化している。
【００３０】
壁部１５の周面に設けられた多数の透水部１７は、たとえば、図２（ａ）のように多数の円形状の開口１７ａや図２（ｂ）のような水平方向に延びた多数のスリット状の開口１７ｂであってよい。このため、たとえば、円孔やスリットが多数形成されているパンチングメタル等の有孔鋼板を用いることができる。
【００３１】
浸水時に壁部１５の透水部１７を通して壁部１５と屋外タンク１０の側板１２との間の空間２０内に水が進入する。なお、壁部１５の高さは、当該屋外タンクに想定される浸水高さ程度であってよいが、これに限定されず、別の高さに設定してもよい。
【００３２】
図３のように、壁部１５は、その構造を補強して保持するための補強構造として、一定間隔で複数の控え壁（バットレス）１８を有する。控え壁１８は、直角三角形状の鋼板から構成され、図１の空間２０内に位置し、壁部１５に対しほぼ直交するように壁部１５と底部１６とに溶接等により取り付けられる。
【００３３】
図４を参照して本実施形態による屋外タンク滑動防止構造の作用効果を説明する。図４は、図１の屋外タンクの浸水時の状態を概略的に示す図１と同様の縦断面図である。図４のように、津波や高潮や洪水等の浸水時に壁部１５の外側で水位が上昇すると、その水２１は透水部１７を通して方向ａへと流れ、および／または、壁部１５の上端１５ａを越えて方向ｂへと流れ、壁部１５と側板１２との間の空間２０内に流れ込み、空間２０内に溜まる。
【００３４】
タンク本体１０ａと壁部１５とは一体化されているため、空間２０内に溜まった水２２により見かけ上のタンク本体１０ａの重量を増加させることができる。これにより、津波や高潮や洪水等の浸水時に屋外タンク１０のタンク本体１０ａに作用する波力に対する滑動抵抗力を増加させることができる。すなわち、図１１に示すタンク本体の重量ＷTが増加する結果、滑動抵抗力（μ（ＷT＋ＷL−ＦZ））も大きくなるので、タンク本体１０ａの滑動を防止することができる。
【００３５】
以上のように、本実施形態による屋外タンク滑動防止構造によれば、タンク外周に設けた壁部１５により、タンク周辺への浸水そのものを防ぐのではなく、あえてタンクと壁部との間の空間２０に水を進入させることで、その進入させた水の重量を滑動抵抗力に加算し、これにより、タンク滑動抵抗力を増加させることができるのである。
【００３６】
また、浸水時に屋外タンク１０の設置場内に流れ込んだ水は、まず壁部１５に接触することになるため、タンク本体１０ａは波力をまともに受けることがない。このように、壁部１５はタンクに作用する浸水波力を緩衝するため、波力によるタンク本体１０ａの損傷を防ぐことができる。また、副次的に漂流物の衝突も回避できるので、漂流物によるタンク本体１０ａの損傷を防ぐことができる。
【００３７】
非特許文献１における消防庁によるタンク滑動防止対策の検討によれば、次の三つの考え方が示されている。
(1)タンクに作用する波力を低減させる
(2)タンク本体（内容液を含む）の重量を増加させる
(3)タンクが有する滑動抵抗力を増加させる
これらのうち(2)については現実的な方策を見出すことができないとして、具体策が示されていない。これに対し、本実施形態によれば、(2)に基づく解決策を新規に提案することができる。すなわち、タンク本体１０ａを囲うようにその外周に壁部１５を設置し、壁部１５の底部１６とタンク本体１０ａの底板１１とを結合して壁部１５と底板１１とを一体化することにより、津波や高潮や洪水等の浸水時に壁部１５と側板１２との間の空間２０に水２２を溜めることでタンク本体１０ａの見かけ上の重量を増加させることができる。
【００３８】
次に、図１の壁部１５の透水部１７に逆流防止機構を設けた構成例について図５，図６を参照して説明する。図５は、本構成例において図４の状態から壁部の外側の水位が低下した時の状態を概略的に示す図１と同様の縦断面図である。図６は、図５の透水部に設けた逆流防止機構を示す部分縦断面図（ａ）（ｂ）である。
【００３９】
図６（ａ）（ｂ）のように、逆流防止機構２５は、透水部１７を覆うような大きさの閉塞板２５ａと、透水部１７の上部で閉塞板２５ａを回動自在に支持する回動支持部２５ｂと、閉塞板２５ａの周囲に設けられたゴム等の弾性部材からなる密閉部２５ｃと、を有し、空間２０側において壁部１５の各透水部１７に設けられる。
【００４０】
図６（ａ）のように、逆流防止機構２５によれば、閉塞板２５ａがその自重により回動支持部２５ｂを中心にして図の時計回り方向ｒに回動し、透水部１７の周囲に密閉部２５ｃを介して当たり、透水部１７を閉塞する。この状態で、図４のように津波や高潮や洪水等の浸水時に壁部１５の外側で水位が上昇し、その水圧が閉塞板２５ａに加わると、図６（ｂ）のように、閉塞板２５ａがその自重に抗して回動支持部２５ｂを中心にして図の反時計回り方向ｒ’に回動し、透水部１７の周囲から離れ、透水部１７を開放し、壁部１５の外側の水２１（図４）が透水部１７を通して方向ａへと流れ込み、図４のように水２２が空間２０内に溜まる。
【００４１】
次に、図５のように、壁部１５の外側の水位が低下すると、空間２０内に溜まった水２２の水圧により、閉塞板２５ａは、図６（ａ）のように、時計回り方向ｒに回動し、透水部１７を弾性変形した密閉部２５ｃで密閉し閉塞する。このように、逆流防止機構２５により、空間２０内に溜まった水２２が逆流せず、水２２の漏出を防ぐことができるので、図５のように、壁部１５の外側の水位が低下しても空間２０内の水位を高い状態に保ち続けることができる。
【００４２】
津波等による浸水の場合、引き波で壁部１５の外側の水位が下がることがあるが、第2波以降の後続波に備えることが必要となる。かかる場合、図５，図６のように壁部１５の透水部１７に逆流防止機構２５を設けておくことで、壁部１５の外側の水位が下がっても空間２０内の水位を高い状態に保つことができるので、タンクの滑動抵抗力を維持することができる。
【００４３】
また、図５，図６のように逆流防止機構２５を壁部１５に設ける場合、逆流防止機構２５の図６（ａ）の状態を通常としたが、これに限定されず、図６（ｂ）の状態を通常とするように構成してもよい。すなわち、回動支持部２５ｂに設けたばね等の付勢部材により図６（ｂ）のように閉塞板２５ａをその自重に抗して反時計回り方向ｒ’に付勢し、開放状態としておき、浸水時に壁部１５の外側の水位が上昇し水が方向ａへ流れ込み空間２０内の水位が高くなってから、図５のように、壁部１５の外側の水位が低下すると、空間２０内に溜まった水２２の水圧により、閉塞板２５ａが付勢部材の付勢力に抗して、図６（ａ）のように、時計回り方向ｒに回動し、透水部１７を密閉し閉塞するように逆流防止機構２５を構成してもよい。
【００４４】
なお、空間２０内から水を排出するための排水弁（図示省略）を壁部１５に設けておくことが好ましい。津波や高潮や洪水等による浸水がおさまり、タンク滑動のおそれがなくなり、図５のように空間２０内に水を溜めておく必要がなくなったら、排水弁から排水する。また、非浸水時において空間２０内に滞留した雨水も排水弁から排水する。
【００４５】
また、図１の壁部１５は直立構造であるが、図７のように傾斜構造を有する壁部２６としてもよい。すなわち、図７の壁部２６が底部１６に対し半径方向外側に開くように傾斜することで、空間２０の容積を大きく確保できる。このため、たとえば、壁部２６を予め底部１６に対しタンク外側に傾斜させておくことができる。この場合、図３の補強構造を図７のように壁部２６の傾斜に合わせた形状を有する控え壁１８ａとし、および／または、破線で示すワイヤー１９を用いることで、壁部２６の傾斜形状を保つことができる。
【００４６】
次に、図１の屋外タンク滑動防止構造の具体例について図８を参照して説明する。図８は、容量が1000キロリットル級の屋外タンクに設けた屋外タンク滑動防止構造の具体例を示す図１と同様の縦断面図である。
【００４７】
図８のように、容量が1000キロリットル級の屋外タンクが空液状態（図１の内容液Ｌがない）のとき、その周辺に高さ4.4mの浸水があった場合（非特許文献１の検討当時のモデル津波の中での最大浸水深さ）、タンク本体の側板と壁部との間の空間にどの程度水を溜めれば滑動しないか試算した。非特許文献１における消防庁の検討では、1000キロリットルのタンクでは、その貯蔵率が約64%以上であれば滑動は生じないとしている。
【００４８】
試算の結果、壁部の高さを4.4mとし、タンク本体の側板と壁部との間の離隔距離を約3.5m以上確保し、その空間内に水を溜めれば、空間内の水量が640キロリットルであり、貯蔵率64%相当で、タンク内が空であっても、タンクの滑動が生じないこととなる。なお、基礎構造に関し、図８のように、既設タンクに対しては基礎の拡幅で対応でき、新設タンクであれば設計当初から壁部の設置を念頭においた基礎設計で対応できる。
【００４９】
以上のように本発明を実施するための形態について説明したが、本発明はこれらに限定されるものではなく、本発明の技術的思想の範囲内で各種の変形が可能である。たとえば、本実施形態による屋外タンク滑動防止構造は、既存の屋外タンクにも新設の屋外タンクにも設けることができることはもちろんである。
【００５０】
また、図１では、壁部１５を底部１６のあるＬ形状から構成したが、本発明はこれに限定されず、たとえば、底部１６を構成する鋼板と、屋外タンク１０の底板１１とを溶接等により結合し、底部１６を構成する鋼板と壁部１５とを溶接等により結合するようにしてもよい。また、屋外タンク１０の底板１１の外径を予め大きく構成しておき、その底板１１に壁部１５を溶接等により結合するようにしてもよい。
【００５１】
また、図６（ａ）（ｂ）の逆流防止機構２５は一例であって、他の構成であってもよいことはもちろんである。
【００５２】
また、透水部１７を構成する開口の形状は、図２（ａ）（ｂ）のような円形状やスリット状に限定されず、別の形状であってもよい。
【００５３】
また、図３では、壁部１５の補強構造として控え壁１８を設けたが、控え壁１８の代わりに、または、控え壁１８に加えて、図３の破線で示すワイヤー１９を設けてもよい。
【００５４】
また、本実施形態における屋外タンクの基礎構造は、図９（ａ）〜（ｃ）のRCリング基礎や杭基礎やスラブ基礎であってよい。
【産業上の利用可能性】
【００５５】
本発明の屋外タンク滑動防止方法および屋外タンク滑動防止構造によれば、津波や高潮や洪水等の浸水時に屋外タンクの滑動抵抗力を増やすことで屋外タンクの滑動を防止できるので、浸水時のタンク滑動に起因した屋外タンクと配管等の接続部の切断による危険物の液体の流出防止を図ることができる。
【符号の説明】
【００５６】
１０ 屋外タンク
１０ａ タンク本体
１１ 底板
１２ 側板
１３ 天板
１５，２６ 壁部
１５ａ 壁部１５の上端
１６ 底部
１６ａ 結合部
１７ 透水部
１７ａ，１７ｂ 開口
１８，１８ａ 控え壁
２０ 空間
２５ 逆流防止機構
【図１】
2019001469.tif 000003
【図２】
2019001469.tif 000004
【図３】
2019001469.tif 000005
【図４】
2019001469.tif 000006
【図５】
2019001469.tif 000007
【図６】
2019001469.tif 000008
【図７】
2019001469.tif 000009
【図８】
2019001469.tif 000010
【図９】
2019001469.tif 000011
【図１０】
2019001469.tif 000012
【図１１】
2019001469.tif 000013